(57)【要約】【課題】  電子メール等の通信メッセージを受信したときに、その通信メッセージの件名や差出人を確認したり、内容を読んだりするための一定の操作を行なわなくても、その通信メッセージの重要度や緊急性を知ることができる携帯端末装置を提供する。【解決手段】  通信部４と、表示面２２と、第１記憶部６と、通信部による待受け動作時に、表示面に待受け画面２４を表示させるように制御する制御部２０とを備える携帯端末装置２において、制御部は、通信部が通信メッセージ２１を受信した場合に、この通信メッセージを第１記憶部に格納すると共に、通信メッセージの差出人情報２１ｂ、件名情報２１ｃ又は本文情報２１ｄの少なくともいずれかの一部を抽出し、この抽出した情報に基づく文字列が記載される電子付箋２８を作成し、この電子付箋を待受け画面上に重ねて表示させるようにした。【選択図】      図１
2006121304.tif 000002
【特許請求の範囲】
【請求項１】
通信回線網に接続して、差出人情報、件名情報及び／又は本文情報の文字列を含んで構成される通信メッセージを送受信することができる通信部と、
文字及び画像を表示することができる表示面と、
前記通信メッセージを記憶する記憶部と、
前記通信部による待受け動作時に、前記表示面に待受け画面を表示させるように制御する制御部と
を備える携帯端末装置において、
前記制御部は、
前記通信部が通信メッセージを受信した場合に、この通信メッセージを前記記憶部に格納すると共に、
前記通信メッセージの前記差出人情報、件名情報又は本文情報の少なくともいずれかの一部を抽出し、この抽出した情報に基づく文字列が記載される電子付箋を作成し、この電子付箋を前記待受け画面上に重ねて表示させることを特徴とする携帯端末装置。
【請求項２】
前記待受け画面は、その表示領域内に複数の電子付箋表示領域が定められており、
前記制御部は、通信メッセージを受信して電子付箋を作成する際に、当該通信メッセージと前記複数の電子付箋表示領域の一とを対応付けると共に、作成した電子付箋を対応付けた電子付箋表示領域に表示することを特徴とする請求項１に記載の携帯端末装置。
【請求項３】
前記制御部は、前記複数の電子付箋表示領域のいずれか一を指定する操作が行なわれ、この指定された電子付箋表示領域が前記通信メッセージに対応付けらているものであった場合、当該通信メッセージを前記表示面に表示させることを特徴とする請求項２に記載の携帯端末装置。
【請求項４】
前記制御部は、前記通信メッセージの受信により表示する電子付箋を所定の数までに制限することを特徴とする請求項２又は３に記載の携帯端末装置。
【請求項５】
前記制御部は、前記通信部が通信メッセージを新たに受信したときに、この新たな通信メッセージを受信する以前に受信した他の通信メッセージに対応付けられている前記電子付箋を消去することを特徴とする請求項２ないし４のいずれか一に記載の携帯端末装置。
【請求項６】
前記制御部は、前記電子付箋に対応付けられている通信メッセージが前記表示面に表示されたときに、この電子付箋を消去することを特徴とする請求項３に記載の携帯端末装置。
【請求項７】
前記記憶部は、通信先を記憶し、
前記制御部は、前記通信部が受信した通信メッセージが前記記憶部に記憶されている通信先から送信されたものであった場合、前記電子付箋を作成することを特徴とする請求項１ないし６のいずれか一に記載の携帯端末装置。
【請求項８】
前記記憶部は、通信先を記憶し、
前記制御部は、前記通信部が受信した通信メッセージが前記記憶部に記憶されていない通信先から送信されたものであった場合、前記電子付箋を作成しないことを特徴とする請求項１ないし６のいずれか一に記載の携帯端末装置。
【請求項９】
前記記憶部は、アドレス情報に、名前又は名称を対応付けて記憶し、
前記制御部は、前記通信部が受信した通信メッセージの差出人情報が前記記憶部に記憶されている前記アドレス情報と一致した場合に、このアドレス情報に対応する前記名前又は名称を前記電子付箋に記載することを特徴とする請求項１ないし６のいずれか一に記載の携帯端末装置。
【請求項１０】
前記記憶部は、前記アドレス情報に対応付けて画像を記憶し、
前記制御部は、前記通信部が受信した通信メッセージの差出人情報が前記記憶部に記憶されている前記アドレス情報と一致した場合には、一致したアドレス情報に対応する画像を前記電子付箋に表示することを特徴とする請求項９に記載の携帯端末装置。
【請求項１１】
前記制御部は、前記通信部が受信した通信メッセージの差出人情報が前記記憶部に記憶されている前記アドレス情報と一致しない場合には、所定の画像を前記電子付箋に表示する請求項９又は１０に記載の携帯端末装置。
【発明の詳細な説明】
【技術分野】
【０００１】
本発明は、電子メール等の通信メッセージを受信した場合に、その旨を表示面に表示してユーザーに報知するようになっている携帯端末装置に関するものである。
【背景技術】
【０００２】
従来において、通信回線網に接続して、文字メッセージ送受信サービス（Ｓｈｏｒｔ  Ｍｅｓｓａｇｅ  Ｓｅｒｖｉｃｅ）における文字メッセージや、電子メール等のような、通信メッセージを送受信することができる携帯端末装置があった。
【０００３】
このような携帯端末装置による通信メッセージの通信は、この通信メッセージの受信者が受信後直ちに読むことができなくても、しばらくして都合が良くなってから読むことができるという融通性を有している。また、通信メッセージの送信者は、このような融通性を見込んで、送信相手の予定等を考慮することなく、いつでも通信メッセージを送信することができる。
【０００４】
しかしながら、通信メッセージの通信には、このような融通性があるために、却って、受信者が通信メッセージを読まずに放置しておくようなことがあった。例えば、通信メッセージを受信しても、受信したことに気付かなかったり、緊急性はないが一定期間内に読んでもらいたい通信メッセージを、その一定期間内に読まなかったりするようなことがあった。
【０００５】
このため、受信者が通信メッセージの受信に気付かなかったり、適切な時期に読んでもらえなかったりするようなことを防止するために、送信された通信メッセージを一時的に保管して、この通信メッセージの送信者が指定した日時になったときに、この通信メッセージを送信相手に転送するようになっているような情報処理装置があった（例えば、特許文献１）。
【０００６】
また、受信した通信メッセージが読まれずに放置されてしまうのを防止することができる携帯端末装置として、この携帯端末装置が通信メッセージを受信したときに、その表示部の表示面に、通信メッセージを受信した旨を知らせるアイコン（ｉｃｏｎ）を表示して、受信者であるユーザーに、通信メッセージの受信を確実に認識させるようになっている携帯端末装置があった。
【特許文献１】特開２００１−１０１０９８号公報
【発明の開示】
【発明が解決しようとする課題】
【０００７】
しかしながら、このような携帯端末装置は、通信メッセージの受信を知らせるアイコンが表示面に表示されるようになっていても、その通信メッセージの重要度や緊急性までは分からなかった。
【０００８】
このため、受信者は、通信メッセージの重要度や緊急性の有無に関わらず、このことを確認するために通信メッセージの件名や差出人を確認したり、内容を読んだりするための一定の操作を行なわなければならないという問題があった。
【０００９】
そこで本発明は、上記問題点に鑑みて、電子メール等の通信メッセージを受信したときに、その通信メッセージの件名や差出人を確認したり、内容を読んだりするための一定の操作を行なわなくても、その通信メッセージの重要度や緊急性を知ることができる携帯端末装置を提供することを課題とするものである。
【課題を解決するための手段】
【００１０】
上記課題を解決するために本発明は、
通信回線網に接続して、差出人情報、件名情報及び／又は本文情報の文字列を含んで構成される通信メッセージを送受信することができる通信部と、
文字及び画像を表示することができる表示面と、
前記通信メッセージを記憶する記憶部と、
前記通信部による待受け動作時に、前記表示面に待受け画面を表示させるように制御する制御部と
を備える携帯端末装置において、
前記制御部は、
前記通信部が通信メッセージを受信した場合に、この通信メッセージを前記記憶部に格納すると共に、
前記通信メッセージの前記差出人情報、件名情報又は本文情報の少なくともいずれかの一部を抽出し、この抽出した情報に基づく文字列が記載される電子付箋を作成し、この電子付箋を前記待受け画面上に重ねて表示させることを特徴とするものである。
【００１１】
また、本発明による携帯端末装置は、
前記待受け画面は、その表示領域内に複数の電子付箋表示領域が定められており、
前記制御部は、通信メッセージを受信して電子付箋を作成する際に、当該通信メッセージと前記複数の電子付箋表示領域の一とを対応付けると共に、作成した電子付箋を対応付けた電子付箋表示領域に表示するようになっていてもよい。
【００１２】
また、本発明による携帯端末装置は、前記制御部は、前記複数の電子付箋表示領域のいずれか一を指定する操作が行なわれ、この指定された電子付箋表示領域が前記通信メッセージに対応付けらているものであった場合、当該通信メッセージを前記表示面に表示させるようになっていてもよい。
【００１３】
また、本発明による携帯端末装置は、前記制御部は、前記通信メッセージの受信により表示する電子付箋を所定の数までに制限するようになっていてもよい。
【００１４】
また、本発明による携帯端末装置は、前記制御部は、前記通信部が通信メッセージを新たに受信したときに、この新たな通信メッセージを受信する以前に受信した他の通信メッセージに対応付けられている前記電子付箋を消去するようになっていてもよい。
【００１５】
また、本発明による携帯端末装置は、前記制御部は、前記電子付箋に対応付けられている通信メッセージが前記表示面に表示されたときに、この電子付箋を消去するようになっていてもよい。
【００１６】
また、本発明による携帯端末装置は、
前記記憶部は、通信先を記憶し、
前記制御部は、前記通信部が受信した通信メッセージが前記記憶部に記憶されている通信先から送信されたものであった場合、前記電子付箋を作成するようになっていてもよい。
【００１７】
また、本発明による携帯端末装置は、
前記記憶部は、通信先を記憶し、
前記制御部は、前記通信部が受信した通信メッセージが前記記憶部に記憶されていない通信先から送信されたものであった場合、前記電子付箋を作成しないようになっていてもよい。
【００１８】
また、本発明による携帯端末装置は、
前記記憶部は、アドレス情報に、名前又は名称を対応付けて記憶し、
前記制御部は、前記通信部が受信した通信メッセージの差出人情報が前記記憶部に記憶されている前記アドレス情報と一致した場合に、このアドレス情報に対応する前記名前又は名称を前記電子付箋に記載するようになっていてもよい。
【００１９】
また、本発明による携帯端末装置は、
前記記憶部は、前記アドレス情報に対応付けて画像を記憶し、
前記制御部は、前記通信部が受信した通信メッセージの差出人情報が前記記憶部に記憶されている前記アドレス情報と一致した場合には、一致したアドレス情報に対応する画像を前記電子付箋に表示するようになっていてもよい。
【００２０】
また、本発明による携帯端末装置は、前記制御部は、前記通信部が受信した通信メッセージの差出人情報が前記記憶部に記憶されている前記アドレス情報と一致しない場合には、所定の画像を前記電子付箋に表示するようになっていてもよい。
【発明の効果】
【００２１】
このような本発明の携帯端末装置によれば、電子メール等の通信メッセージを受信したときに、その通信メッセージの件名や差出人を確認したり、内容を読んだりするための一定の操作を行なわなくても、その通信メッセージの重要度や緊急性を知ることができる。
【発明を実施するための最良の形態】
【００２２】
以下、本発明に係る携帯端末装置の実施の形態について、図面に基づいて具体的に説明する。
図１ないし図１１は、本発明の一実施の形態に係る携帯電話機２（携帯端末装置に相当）について説明するために参照する図である。
【００２３】
図１は、本実施の形態に係る携帯電話機２の回路構成を示すブロック図である。同図に示すように、携帯電話機２は、通信部４、第１記憶部６、第２記憶部８、操作部１０、表示部１２、音声処理部１４、スピーカー１６、マイクロホン１８、撮像部１９、及びこれらを制御する制御部２０を備えている。
【００２４】
音声処理部１４、スピーカー１６及びマイクロホン１８は、通信部４を介して通話の通信を行なうときなどに用いられ、一般的な電話機と同様に動作するものである。
【００２５】
通信部４は、無線通信により、図示しない最寄りの基地局を介して、公衆通信回線網に接続することができるようになっている。また、通信部４は、図２に示すように、送信日２１ａ、差出人の電子メールアドレス２１ｂ（差出人情報に相当）、件名２１ｃ（件名情報に相当）、及び本文２１ｄ（本文情報に相当）を含むような、一般的な形式の電子メール２１（通信メッセージに相当）のデータを送受信することができるようになっている。
【００２６】
図１に示す表示部１２には、ＬＣＤ（液晶ディスプレイ）等が用いられている。この表示部１２は、通信部４が通信の待受け状態であるときには、制御部２０の命令に基づいて、図３に示すように、その表示面２２に待受け画面２４を表示するようになっている。ここで、通信の待受け状態とは、通信部４が通話の通信や電子メール２１の送受信を行なっていないような状態をいうこととする。
【００２７】
また、表示面２２に表示された待受け画面２４上には、制御部２０の命令に基づいて、後述する電子付箋２８が重なって表示されるようになっている（図８参照）。待受け画面２４は、その表示領域内に、図４に示すように、仮想の破線で囲まれているような所定の５つの電子付箋表示領域２４ａ，２４ｂ，２４ｃ，２４ｄ，２４ｅが定められており、電子付箋２８は、この電子付箋表示領域２４ａ，２４ｂ，２４ｃ，２４ｄ，２４ｅに、作成された順に電子付箋表示領域２４ａ側に詰めて表示されるようになっている。
【００２８】
また、図１に示す第１記憶部６は、通信部４が受信した電子メール２１を記憶するようになっていると共に、この受信した電子メール２１に基づいて制御部２０が作成した後述の電子付箋２８を、元の電子メール２１に対応付けて記憶するようになっている。
【００２９】
また、後述の電子付箋２８が待受け画面２４上に重なって表示される場合（図８参照）には、この電子付箋２８が、電子付箋表示領域２４ａ，２４ｂ，２４ｃ，２４ｄ，２４ｅのいずれに表示されているのかについても、第１記憶部６は、電子メール２１に対応付けて記憶するようになっている。
【００３０】
図１に示す第２記憶部８は、図５に示すようなアドレス帳テーブル２６を記憶するようになっている。アドレス帳テーブル２６には、１件ごとに操作部１０から入力された、名前又は名称、電子メールアドレス及び電話番号が互いに対応するように登録されている。
【００３１】
このアドレス帳テーブル２６は、例えば、電子メールアドレスだけを登録して、この電子メールアドレスに対応する名前又は名称、及び電話番号の登録を省略することができるようになっている。
【００３２】
また、アドレス帳テーブル２６には、登録した電子メールアドレスごとに、後述する電子付箋２８を作成しないようにするシークレット登録の設定が可能とされる。すなわち、ユーザーが相手の重要度に応じて、シークレット登録をＯＦＦに設定した場合には、この相手からの電子メール２１を受信したときに後述するような制御部２０の処理動作により電子付箋２８が作成され、逆にシークレット登録をＯＮに設定した場合、この相手からの電子メール２１の受信時には、電子付箋２８は作成されないようになっている。これらＯＮ／ＯＦＦの設定は、操作部１０にて設定を行なうようになっている。
【００３３】
また、図１に示す第２記憶部８は、図示しないが、アドレス帳テーブル２６のそれぞれの電子メールアドレスに対応するように、任意の画像を記憶することができるようになっている。このような画像としては、例えば、このアドレス帳テーブル２６に登録した通信先の該当人物を撮像部１９で撮影したものを用いることができる。
【００３４】
また、第２記憶部８には、上記アドレス帳テーブル２６や任意の画像の他に、アドレス帳テーブル２６の電子メールアドレスのいずれにも対応しない所定のアイコン３０（図８参照）が、予め記憶されている。
【００３５】
次に、図６及び図７のフローチャートに基づいて、携帯電話機２が、図２に示すような電子メール２１を受信した場合に、制御部２０が、この電子メール２１についての電子付箋２８を作成するときの処理動作について説明する。
【００３６】
携帯電話機２の通信部４が通信の待受け状態であるときには、図３に示すように、表示面２２に待受け画面２４が表示されている。図１に示す通信部４が電子メール２１を受信すると、制御部２０は、この電子メール２１を第１記憶部６に格納するようになっている。
【００３７】
次に、制御部２０は、図２に示す受信した電子メール２１から、送信日２１ａ、差出人の電子メールアドレス２１ｂ、件名２１ｃ、及び本文２１ｄのそれぞれを抽出し（図６中、ステップＳ１）、この電子メール２１の電子メールアドレス２１ｂが、図５に示すアドレス帳テーブル２６に登録されている電子メールアドレスのいずれかと一致するかどうかを判断するようになっている（図６中、ステップＳ２）。
【００３８】
電子メール２１の電子メールアドレス２１ｂが、アドレス帳テーブル２６に登録されている電子メールアドレスのいずれとも一致しない場合は（ステップＳ２のＮＯ）、制御部２０は電子付箋２８を作成せずに、その処理動作を終了するようになっている（図７中、エンド）。
【００３９】
また、電子メール２１の電子メールアドレス２１ｂが、アドレス帳テーブル２６に登録されている電子メールアドレスのいずれかと一致した場合であっても（ステップＳ２のＹＥＳ）、アドレス帳テーブル２６におけるシークレット登録の設定（図５参照）がＯＮになっている場合には（図６中、ステップＳ３のＹＥＳ）、やはり制御部２０は電子付箋２８を作成せずに、その処理動作を終了するようになっている（図７中、エンド）。
【００４０】
そして、電子メール２１の電子メールアドレス２１ｂが、アドレス帳テーブル２６に登録されている電子メールアドレスのいずれかと一致して（ステップＳ２のＹＥＳ）、かつアドレス帳テーブル２６におけるシークレット登録の設定がＯＦＦになっている場合には（ステップＳ３のＮＯ）、制御部２０はステップＳ４以降において電子付箋２８を作成するようになっている。
【００４１】
ここで、待受け画面２４上には、図６及び図７に示す、このフローチャートの処理動作が既に数回行なわれて、いくつかの電子付箋２８が表示されていることがある（図８参照）。このため、制御部２０は、ステップＳ４において待受け画面２４上に表示されている電子付箋が所定数より１少ない数、例えば４つ以下であるかどうかを判断するようになっている。
【００４２】
電子付箋が４つ以下である場合には（ステップＳ４のＹＥＳ）、今回作成する電子付箋２８は、図８に示す電子付箋表示領域２４ａ，２４ｂ，２４ｃ，２４ｄ，２４ｅにおける、前回作成した電子付箋２８が表示されている領域の次の領域に表示されることになる。
【００４３】
また、表示されている電子付箋２８が既に５つ（所定の数）になっているような場合には（ステップＳ４のＮＯ）、次に待受け画面２４上に表示させようとしている電子付箋が６つ目となって、待受け画面２４上に表示することができる電子付箋２８の所定の数を超してしまう。
【００４４】
このため、ステップＳ５において、表示面２２に表示されている電子付箋２８の中から最も古い電子付箋２８を消去して、今回作成する電子付箋２８を表示する場所を確保するようになっている。そして、このステップＳ５の処理動作を終了すると、ステップＳ６に移行するようになっている。
【００４５】
したがって、ステップＳ６の処理動作が行なわれる直前において、今回作成する電子付箋２８が、電子付箋表示領域２４ａ，２４ｂ，２４ｃ，２４ｄ，２４ｅのいずれの領域に表示されるかが確定するようになっており、制御部２０は、電子付箋２８が表示される、その領域を電子メール２１と対応するように、第１記憶部６に記憶させるようになっている。
【００４６】
次に制御部２０は、図７のステップＳ６ないしＳ９において、電子付箋２８として表示する内容を選別するようになっている。そして、このように選別した内容を記載した電子付箋２８を、ステップＳ１０ないしＳ１４のいずれかのステップにおいて、待受け画面２４上に表示するようになっている。
【００４７】
すなわち、ステップＳ６において制御部２０は、電子メール２１の電子メールアドレス２１ｂと一致するアドレス帳テーブル２６の電子メールアドレスに対応するような任意の画像（例えば、当該電子メールアドレスの使用者の顔写真など）が、第２記憶部８に記憶されているかどうかを判断するようになっている。
【００４８】
そして、そのような任意の画像が第２記憶部８に記憶されている場合には（ステップＳ６のＹＥＳ）、電子メール２１の件名２１ｃに、具体的な内容が記載されているのか、又は空欄になっているのかについて判断するようになっている（ステップＳ７）。
【００４９】
件名２１ｃに具体的な内容が記載されている場合には（ステップＳ７のＹＥＳ）、電子付箋２８として、電子メールアドレス２１ｂと一致するアドレス帳テーブル２６の電子メールアドレスに対応する任意の画像、及び電子メール２１の件名２１ｃの内容を表示するようになっている（ステップＳ１０）。
【００５０】
逆に、件名２１ｃに具体的な内容が記載されておらず、空欄になっているような場合には（ステップＳ７のＮＯ）、電子付箋２８として、電子メールアドレス２１ｂと一致するアドレス帳テーブル２６の電子メールアドレスに対応する任意の画像、及び電子メール２１の本文２１ｄの最初の７文字を表示するようになっている（ステップＳ１１）。
【００５１】
また、ステップＳ６において、電子メール２１の電子メールアドレス２１ｂと一致するアドレス帳テーブル２６の電子メールアドレスに対応する任意の画像が、第２記憶部８に記憶されていないと判断された場合には（ステップＳ６のＮＯ）、ステップＳ８に移行するようになっている。
【００５２】
ステップＳ８において、制御部２０は、アドレス帳テーブル２６の電子メールアドレスであって、電子メール２１の電子メールアドレス２１ｂと一致しているものに対応する名前又は名称が、このアドレス帳テーブル２６に実体的に登録されているか、又は空欄になっているかについて判断するようになっている。
【００５３】
電子メールアドレス２１ｂに対応する名前又は名称が、アドレス帳テーブル２６に実体的に登録されているような場合には（ステップＳ８のＹＥＳ）、電子付箋２８として、第２記憶部８に記憶されている所定のアイコン３０（図８参照）、及び電子メールアドレス２１ｂに対応するアドレス帳テーブル２６の名前又は名称（図５参照）を表示するようになっている（図７中、ステップＳ１２）。
【００５４】
また、電子メールアドレス２１ｂに対応する名前又は名称が、アドレス帳テーブル２６に登録されておらず、空欄になっていると判断した場合には（ステップＳ８のＮＯ）、ステップＳ７と同様に、電子メール２１の件名２１ｃに、具体的な内容が記載されているのか、又は空欄になっているのかについて判断するようになっている（ステップＳ９）。
【００５５】
件名２１ｃに具体的な内容が記載されているような場合には（ステップＳ９のＹＥＳ）、電子付箋２８として、第２記憶部８に記憶されている所定のアイコン３０、及び電子メール２１の件名２１ｃの内容を表示するようになっている（ステップＳ１３）。
【００５６】
逆に、件名２１ｃに具体的な内容が記載されておらず、空欄になっているような場合には（ステップＳ９のＮＯ）、電子付箋２８として、第２記憶部８に記憶されている所定のアイコン３０、及び電子メール２１の本文２１ｄの最初の７文字を表示するようになっている（ステップＳ１４）。
【００５７】
図８は、上記の図６及び図７のフローチャートに基づいて作成された電子付箋２８が、待受け画面２４上に重ねて表示された状態を例示した図である。
【００５８】
ここで、電子付箋２８の中で、待受け画面２４の電子付箋表示領域２４ａに表示されているものを符号２８ａで示し、電子付箋表示領域２４ｂに表示されているものを符号２８ｂで示すこととする。電子付箋２８ａと電子付箋２８ｂは、互いに異なる電子メール２１に対応して作成されたものである。
【００５９】
電子付箋２８ａは、上記図６及び図７のフローチャートにおけるステップＳ１３の処理動作により表示されたものであって、図８に示すように、所定のアイコン３０、及び受信した電子メール２１の件名２１ｂとして「出張予定」との記載が表示されているものである。
【００６０】
また、電子付箋２８ｂは、ステップＳ１４の処理動作により表示されたものであって、所定のアイコン３０、及び受信した電子メール２１の本文２１ｄの最初の７文字として「報告書提出期限」との記載が表示されているものである。
【００６１】
次に、図８に示すような、携帯電話機２の表示面２２に表示中の待受け画面２４上に電子付箋２８ａ，２８ｂが表示されているような状態のときに、図９に示すような内容の電子メール３１を新たに受信した場合について説明する。
【００６２】
ここで、図９に示すような電子メール３１は、図２に示す電子メール２１と同様の形式になっているものであり、送信日３１ａ、差出人の電子メールアドレス３１ｂ、件名３１ｃ及び本文３１ｄの内容が具体的に例示されているものである。
【００６３】
携帯電話機２は、このような電子メール３１を受信した場合には、上記図６及び図７のフローチャートに示すような制御部２０の処理動作により、図１０に示すように、待受け画面２４上の電子付箋表示領域２４ｃに、電子付箋２８ｃを表示するようになる。
【００６４】
この電子付箋２８ｃは、上記図６及び図７のフローチャートにおけるステップＳ１０の処理動作により表示されたものであり、電子メール３１を送信した差出人の画像３４、及び電子メール３１の件名３１ｃである「今日の夕飯」との記載を表示するようになっている。
【００６５】
なお、電子付箋２８ｃが、このような電子メール３１の差出人の画像３４、及び件名３１ｃを表示するようになっているための前提として、携帯電話機２は、図５に示すアドレス帳テーブル２６に、電子メール３１の電子メールアドレス３１ｂと一致する電子メールアドレスが既に登録されており、この電子メールアドレスに対応する画像３４が第２記憶部８に記憶されていることはいうまでもない。また、この電子メールアドレスに対応するアドレス帳テーブル２６中のシークレット登録の設定は、ＯＦＦになっていることもいうまでもない。
【００６６】
また、携帯電話機２は、図１０に示すように、表示面２２に電子付箋２８ａ，２８ｂ，２８ｃが表示されている状態において、操作部１０が有する不図示の上下方向キーや決定キー等によりカーソル等を動かして、例えば、電子付箋２８ｃを指定する操作が行なわれると、制御部２０は表示部１２に命令して、図１１に示すように、電子付箋２８ｃに対応する電子メール３１の本文３１ｄを表示面２２に表示させるようになっている。
【００６７】
また、制御部２０は、このような電子付箋２８ｃに対応する電子メール３１の本文３１ｄを表示面２２に表示した場合には、電子付箋２８ｃはその役目を終えたものとして、この電子付箋２８ｃを消去するようになっている。
【００６８】
したがって、表示面２２に電子メール３１の本文３１ｄが表示されている状態から、表示面２２に待受け画面２４を表示させるための一定の操作が行なわれた場合には、図８に示すように、表示面２２には、待受け画面２４及び電子付箋２８ａ，２８ｂだけが表示されて、電子付箋２８ｃは表示されないようになっている。
【００６９】
また、図１１に示すように、表示面２２に電子メール３１の本文３１ｄが表示されている状態のときに、操作部１０が有する不図示のフックオフキーが押下されると、制御部２０は、図５に示すアドレス帳テーブル２６の電話番号を参照して、通信部４に、電子メール３１の差出人に対する通話の発呼動作を行なわせるようになっている。
【００７０】
また、図１１に示すように、表示面２２に本文３１ｄが表示されている状態のときに、操作部１０が有する不図示のメールキーが押下されると、図示しないが、制御部２０は、表示部１２に命令し、本文３１ｄに代えて、返信用の電子メールを作成するための編集画面を表示面２２に表示させるようになっている。
【００７１】
このような本実施の形態に係る携帯電話機２によれば、電子メール２１を受信したときに、この電子メール２１の件名２１ｃや差出人の電子メールアドレス２１ｂを確認したり、本文２１ｄの内容を読んだりするための一定の操作を行なわなくても、待受け画面２４上に電子付箋２８が表示されるようになっているため、この電子付箋２８に対応する電子メール２１の重要度や緊急性を知ることができる。
【００７２】
また、電子付箋２８は、待受け画面２４上における所定の電子付箋表示領域２４ａ，２４ｂ，２４ｃ，２４ｄ，２４ｅに表示されるようになっているので、ユーザーは、これらを直ちに見つけることができる。
【００７３】
また、ユーザーが、表示面２２に表示された電子付箋２８を見て、この電子付箋２８に対応する電子メール２１が重要であると判断したような場合には、この電子付箋２８を指定する操作を行なうことにより、この電子付箋２８に対応する電子メール２１の本文２１ｄを、表示面２２に簡単に表示させることができる。
【００７４】
また、表示面２２に表示された電子付箋２８を指定する操作を行なうことにより、この電子付箋２８に対応する電子メール２１の本文２１ｄを表示面２２に表示させた場合には、この電子付箋２８を消去するようになっているので、再び待受け画面２４を表示させたときに、まだ読んでいない重要な電子メール２１が有るかどうかを容易に知ることができる。
【００７５】
なお、本実施の形態では、図６及び図７のフローチャートにおけるステップＳ２において、受信した電子メール２１の差出人の電子メールアドレス２１ｂが、図５に示すアドレス帳テーブル２６に登録されている電子メールアドレスのいずれかと一致した場合にのみ（ステップＳ２のＹＥＳ）、電子付箋２８を作成するようになっていたが、本実施の形態とは異なる他の実施の形態として、電子メールアドレス２１ｂが、アドレス帳テーブル２６に登録されている電子メールアドレスのいずれにも一致しない場合にも、電子付箋２８を作成するようになっていてもよい。
【００７６】
また、このような場合において、電子メールアドレス２１ｂが、アドレス帳テーブル２６に登録されている電子メールアドレスのいずれにも一致しないような電子メール２１に対応する電子付箋２８を表示する場合には、本実施の形態で電子付箋２８にアイコン３０（図８参照）を表示したのと同様に、このアイコン３０と異なる他のアイコン（所定の画像に相当）を表示するようになっていてもよい。
【００７７】
また、図６及び図７のフローチャートにおけるステップＳ２及びステップＳ３を省略し、全ての受信した電子メール２１に対して、ステップＳ１０ないしステップＳ１４の処理動作により、電子付箋２８を作成するようになっていてもよい。
【００７８】
また、本実施の形態では、待受け画面２４は、５つの電子付箋表示領域２４ａ，２４ｂ，２４ｃ，２４ｄ，２４ｅを有していることにより、新たに受信した電子メール２１に基づいて作成した電子付箋２８を、この新たな電子メールを受信する以前に受信した他の電子メール２１に対応する電子付箋２８と一緒に表示するようになっていたが、図６及び図７のフローチャートにおけるステップＳ４及びステップＳ５の処理動作に代えて、新たな電子メール２１を受信する以前に受信した他の電子メール２１に対応する電子付箋２８を、待受け画面２４上から消去するようになっていてもよい。
【００７９】
このような場合には、待受け画面２４は、電子付箋２８を表示するための電子付箋表示領域を１つだけ有していればよい。
【００８０】
また、本実施の形態では、待受け画面２４は、５つの電子付箋表示領域２４ａ，２４ｂ，２４ｃ，２４ｄ，２４ｅを有するようになっていたが、待受け画面２４は、１つ又は６つ以上の電子付箋表示領域を有するようになっていてもよい。
【００８１】
また、本実施の形態では、受信した電子メール２１についてのみ、電子付箋２８を作成し、表示面２２に表示するようになっていたが、発信した電子メールや、電子メール以外の文字情報について電子付箋２８を作成し、表示面２２に表示するようになっていてもよい。
【００８２】
また、このような場合には、待受け画面２４上には、受信した電子メール２１に対応する電子付箋２８と、これ以外の他の電子付箋２８が混ざり合って表示されるようになるため、制御部２０が、受信した電子メール２１に対応する電子付箋２８を所定の個数までしか表示することができないように制限して、このような受信した電子メール２１に対応する電子付箋２８以外の、他の電子付箋２８を表示するための電子付箋表示領域を確保しておくことができるようになっていてもよい。
【００８３】
また、本実施の形態に係る携帯電話機２として、図１に示すように、第１記憶部６と第２記憶部８を別体にて備える例を説明したが、本実施の形態とは異なる他の実施の形態として、第１記憶部６と第２記憶部８とを一体に構成した単一の記憶部を備えるようになっていてもよい。
【００８４】
また、本実施の形態では、携帯電話機２について本発明を適用した場合について説明したが、電子メールのような通信メッセージを送受信することができる、ＰＨＳ（Ｐｅｒｓｏｎａｌ  Ｈａｎｄｙ  ｐｈｏｎｅ  Ｓｙｓｔｅｍ）、通信機能を有するＰＤＡ（Ｐｅｒｓｏｎａｌ  Ｄｉｇｉｔａｌ  Ａｓｓｉｓｔａｎｔ）やノートパソコン等のような、携帯電話機以外の他の携帯端末装置に対しても、本発明を適用することができることはいうまでもない。
【図面の簡単な説明】
【００８５】
【図１】本発明の一実施の形態に係る携帯電話機２の回路構成を示すブロック図である。
【図２】図１に示す通信部４が受信する電子メール２１の概念図である。
【図３】図１に示す表示部１２の表示面２２、及びこの表示面２２に表示される待受け画面２４を示す図である。
【図４】図３に示す待受け画面２４、及びこの待受け画面２４上の電子付箋表示領域２４ａ，２４ｂ，２４ｃ，２４ｄ，２４ｅを示す図である。
【図５】図１に示す第２記憶部８に記憶されているアドレス帳テーブル２６を示す図である。
【図６】図１に示す制御部２０の処理動作を示すフローチャートである。
【図７】図１に示す制御部２０の処理動作を示すフローチャートである。
【図８】図１に示す表示部１２の表示面２２であって、この表示面２２に、待受け画面２４、及び電子付箋２８ａ，２８ｂが表示された状態を示す図である。
【図９】図２に示す電子メール２１の形式に従う、具体的な電子メール３１を示す概念図である。
【図１０】図１に示す表示部１２の表示面２２であって、この表示面２２に待受け画面２４、及び電子付箋２８ａ，２８ｂ，２８ｃが表示された状態を示す図である。
【図１１】図１に示す表示部１２の表示面２２であって、この表示面２２に電子メール３１の本文３１ｄが表示された状態を示す図である。
【符号の説明】
【００８６】
２  携帯電話機
４  通信部
６  第１記憶部
８  第２記憶部
１０  操作部
１２  表示部
１４  音声処理部
１６  スピーカー
１８  マイクロホン
１９  撮像部
２０  制御部
２１  電子メール
２１ａ  送信日
２１ｂ  電子メールアドレス
２１ｃ  件名
２１ｄ  本文
２２  表示面
２４  待受け画面
２６  アドレス帳テーブル
２８  電子付箋
３０  アイコン
３１  電子メール
３１ａ  送信日
３１ｂ  電子メールアドレス
３１ｃ  件名
３１ｄ  本文
３４  画像
【図１】
2006121304.tif 000003
【図２】
2006121304.tif 000004
【図３】
2006121304.tif 000005
【図４】
2006121304.tif 000006
【図５】
2006121304.tif 000007
【図６】
2006121304.tif 000008
【図７】
2006121304.tif 000009
【図８】
2006121304.tif 000010
【図９】
2006121304.tif 000011
【図１０】
2006121304.tif 000012
【図１１】
2006121304.tif 000013